(57)【特許請求の範囲】
【請求項１】
ボルト挿通用の孔部を有するブラケットと、該孔部上に配置されるワッシャと、ブラケット挿通用の開口を有して該ワッシャの上から該ブラケットに装着されるワッシャケースとを備え、該開口と該ブラケットとの間に生じるワッシャ厚み方向の隙間に対向して、該隙間からの該ワッシャの径方向の脱落を防止するリブが該開口に沿って該ブラケットに突設されたことを特徴とするワッシャ保持用ブラケット構造。
【請求項２】
前記ブラケットが前記孔部の周囲に前記ワッシャ収容用の円形の凹部を有し、前記隙間の発生時に前記リブの内面に前記ワッシャの外周面が当接可能なように、該リブの内面が該凹部の内周面に沿って円弧状に形成されたことを特徴とする請求項１記載のワッシャ保持用ブラケット構造。
【請求項３】
ボルト挿通用の孔部を有するブラケットと、該孔部上に配置されるワッシャと、ブラケット挿通用の開口を有して該ワッシャの上から該ブラケットに装着されるワッシャケースとを備え、該開口と該ブラケットとの間の隙間からの該ワッシャの脱落を防止するリブが該開口に沿って該ブラケットに設けられ、
前記ブラケットの垂直壁に続く傾斜壁に前記ワッシャが配置され、前記リブが該垂直壁と該傾斜壁との交差部に立設されて該垂直壁の延長面と同一平面の外面を有し、該リブの両側が中央よりも高く突出したことを特徴とするワッシャ保持用ブラケット構造。
【請求項４】
ボルト挿通用の孔部を有するブラケットと、該孔部上に配置されるワッシャと、ブラケット挿通用の開口を有して該ワッシャの上から該ブラケットに装着されるワッシャケースとを備え、該開口と該ブラケットとの間の隙間からの該ワッシャの脱落を防止するリブが該開口に沿って該ブラケットに設けられ、
前記ブラケットの側部にガイドレールと該ガイドレールの外面の係止突起とが設けられ、前記ワッシャケースに、該ガイドレールに対するスライド係合部と、該係止突起に対する該スライド係合部の係合孔とが設けられ、前記開口から該係合孔の近傍にかけて該スライド係合部に可撓性の薄肉部が形成されたことを特徴とするワッシャ保持用ブラケット構造。
【発明の詳細な説明】
【技術分野】
【０００１】
本発明は、電気接続箱等のブラケットを車両等にねじ締め固定する際にブラケットにワッシャをワッシャケースで保持させるワッシャ保持用ブラケット構造に関するものである。
【背景技術】
【０００２】
従来、自動車の車体パネル等に電気接続箱のブラケット（取付部）をボルト締めで固定するために、種々のブラケット構造が提案されている。
【０００３】
例えば、特許文献１（図示せず）には、ボックスの取付部の溝内にナット付きの移動部材をスライド挿入し、パネルの孔に挿入したボルトを取付部の長孔を経てナットに螺挿して、取付部をパネルに締付固定することが記載されている。
【０００４】
また、特許文献２（図示せず）には、金属製の環状のカラーを電気接続箱の取付部の孔内に装着し、カラーにボルトを挿入して車両のブラケットの孔部を経てナットに螺挿して、取付部を車両のブラケットに締付固定することが記載されている。
【０００５】
また、特許文献３（図示せず）には、ボルト締めではないが、電気接続箱のロアカバーのスライドロック部にコネクタホルダの断面Ｔ字状のスライド凸部をスライド係合させて、両者を固定することが記載されている。
【先行技術文献】
【特許文献】
【０００６】
【特許文献１】実開平４−１２７４０５号公報（図１）
【特許文献２】特開平５−２９２６２８号公報（図３）
【特許文献３】特開２００７−９７３２２号公報（図８）
【発明の概要】
【発明が解決しようとする課題】
【０００７】
上記以外のブラケット構造として、例えば、金属製の平ワッシャを介して電気接続箱等の合成樹脂製のブラケット（取付部）を車両パネル等にボルト締めで固定する構造においては、ワッシャがブラケットから脱落しやすく、それを防ぐために、ブラケットにワッシャケースをスライド式に嵌合ロックさせ、ワッシャをワッシャケース内に保持させた場合に、ワッシャケースとブラケットとの間に大きな隙間を生じた際に、隙間からワッシャが脱落し兼ねないという懸念があった。
【０００８】
また、ブラケットにワッシャケースをスライド式に嵌合ロックさせる際に、大きな力を必要として作業性が悪く、また、ワッシャケースのロック孔をブラケットのロック突起にを無理嵌めした際に、ワッシャケースがロック突起に乗り上げてワッシャ径方向に広がり変形し、変形が復元した際に今度はワッシャ厚み方向の前記隙間を生じやすくなって、隙間からのワッシャの脱落を助長させ兼ねないという懸念があった。
【０００９】
これらの懸念は電気接続箱に限らず、例えば不図示のハーネスプロテクタやコネクタ等において、それらのブラケットを車両ボディ等に固定する場合においても同様に生じ得るものである。
【００１０】
本発明は、上記した点に鑑み、ブラケットに装着したワッシャケース内にワッシャを保持させた場合に、ワッシャケースとブラケットとの間の隙間からのワッシャの脱落を確実に防止することができ、それに加えて、ワッシャケースを小さな力でスムーズに且つワッシャケースの前記隙間を生じるような有害な変形を防ぎつつブラケットにスライド式に嵌合ロックさせることのできるワッシャ保持用ブラケット構造を提供することを目的とする。
【課題を解決するための手段】
【００１１】
上記目的を達成するために、本発明の請求項１に係るワッシャ保持用ブラケット構造は、ボルト挿通用の孔部を有するブラケットと、該孔部上に配置されるワッシャと、ブラケット挿通用の開口を有して該ワッシャの上から該ブラケットに装着されるワッシャケースとを備え、該開口と該ブラケットとの間に生じるワッシャ厚み方向の隙間に対向して、該隙間からの該ワッシャの径方向の脱落を防止するリブが該開口に沿って該ブラケットに突設されたことを特徴とする。
【００１２】
上記構成により、例えばワッシャケースが熱影響等で変形して開口とブラケットとの間の隙間が拡大した場合に、ワッシャが開口から脱落しようとしても、開口に沿って配置されたリブに当接して脱落が防止される。リブはブラケットに一体樹脂成型される。ブラケットは例えば合成樹脂製の電気接続箱本体やワイヤハーネス挿通保護用のハーネスプロテクタ等に設けられる。
【００１３】
請求項２に係るワッシャ保持用ブラケット構造は、請求項１記載のワッシャ保持用ブラケット構造において、前記ブラケットが前記孔部の周囲に前記ワッシャ収容用の円形の凹部を有し、前記隙間の発生時に前記リブの内面に前記ワッシャの外周面が当接可能なように、該リブの内面が該凹部の内周面に沿って円弧状に形成されたことを特徴とする。
【００１４】
上記構成により、脱落しようとした円形のワッシャの円弧状の外周面ないし円弧状の外周端がリブの円弧状の内面に当接して、ワッシャが径方向（幅方向）に求心されつつ、ワッシャの脱落が確実に阻止される。ワッシャはブラケットの凹部内に収容されて、ワッシャケースの開口とブラケットとの間の隙間が小さい（ワッシャの板厚よりも小さい）場合は凹部の内周面に当接して脱落防止される。
【００１５】
請求項３に係るワッシャ保持用ブラケット構造は、ボルト挿通用の孔部を有するブラケットと、該孔部上に配置されるワッシャと、ブラケット挿通用の開口を有して該ワッシャの上から該ブラケットに装着されるワッシャケースとを備え、該開口と該ブラケットとの間の隙間からの該ワッシャの脱落を防止するリブが該開口に沿って該ブラケットに設けられ、前記ブラケットの垂直壁に続く傾斜壁に前記ワッシャが配置され、前記リブが該垂直壁と該傾斜壁との交差部に立設されて該垂直壁の延長面と同一平面の外面を有し、該リブの両側が中央よりも高く突出したことを特徴とする。
【００１６】
上記構成により、例えばワッシャケースが熱影響等で変形して開口とブラケットとの間の隙間が拡大した場合に、ワッシャが開口から脱落しようとしても、開口に沿って配置されたリブに当接して脱落が防止される。リブはブラケットに一体樹脂成型される。ブラケットは例えば合成樹脂製の電気接続箱本体やワイヤハーネス挿通保護用のハーネスプロテクタ等に設けられる。
また、ワッシャの円弧状の外周面ないし円弧状の外周端の中央部分がリブの中央の低背部分の内面に当接し、ワッシャの円弧状の外周面ないし円弧状の外周端の中央の両側部分がリブの両側の高背部分の内面に当接する。特にワッシャが斜めに配置された場合に、ワッシャの外周面ないし外周端の中央の両側部分は中央（最下部）よりも高く位置するので、リブの両側の高背部分の内面で確実に受け止められる。ブラケットの垂直壁と同一面上のリブの外面は、例えばブラケットを設けた電気接続箱本体にアッパカバーを装着する際にアッパカバーとリブとの干渉を防止する。
【００１７】
請求項４に係るワッシャ保持用ブラケット構造は、ボルト挿通用の孔部を有するブラケットと、該孔部上に配置されるワッシャと、ブラケット挿通用の開口を有して該ワッシャの上から該ブラケットに装着されるワッシャケースとを備え、該開口と該ブラケットとの間の隙間からの該ワッシャの脱落を防止するリブが該開口に沿って該ブラケットに設けられ、前記ブラケットの側部にガイドレールと該ガイドレールの外面の係止突起とが設けられ、前記ワッシャケースに、該ガイドレールに対するスライド係合部と、該係止突起に対する該スライド係合部の係合孔とが設けられ、前記開口から該係合孔の近傍にかけて該スライド係合部に可撓性の薄肉部が形成されたことを特徴とする。
【００１８】
上記構成により、例えばワッシャケースが熱影響等で変形して開口とブラケットとの間の隙間が拡大した場合に、ワッシャが開口から脱落しようとしても、開口に沿って配置されたリブに当接して脱落が防止される。リブはブラケットに一体樹脂成型される。ブラケットは例えば合成樹脂製の電気接続箱本体やワイヤハーネス挿通保護用のハーネスプロテクタ等に設けられる。
また、ブラケットにワッシャを配置し、ワッシャケースを装着する際に、ブラケットのガイドレールにワッシャケースのスライド係合部をスライド係合させ、スライド完了と同時に係止突起が係合孔に係合するが、係止突起が係合孔に係合する前に開口からスライド係合部に沿って摺接し、開口と係合孔との間の薄肉部を外側に拡げて（撓み変形させて）小さな力でスムーズに摺接しつつ係合孔に進入係合する。それと同時に薄肉部が内向きに弾性的に復元して、開口と係合孔との間におけるスライド係合部の外向きの有害な塑性変形が防止され、例えば塑性変形を直そうとしてスライド係合部を内向き（ワッシャ径方向）に押圧した際に、ワッシャケースがワッシャ板厚方向の広がり変形する（すなわち隙間が拡大する）ことが防止される。
【発明の効果】
【００１９】
請求項１記載の発明によれば、ブラケットに装着したワッシャケース内にワッシャを保持させた場合に、ワッシャケースとブラケットとの隙間からのワッシャの脱落をブラケットに設けたリブで確実に防止することができる。これにより、ワッシャなしでブラケットを車両等に不完全にボルト締めする不具合を未然に防止することができる。
【００２０】
請求項２記載の発明によれば、脱落しようとした円形のワッシャの円弧状の外周面ないし円弧状の外周端をリブの円弧状の内面に当接させて、ワッシャを径方向（幅方向）に求心させつつ、ワッシャの脱落を一層確実に防止することができる。
【００２１】
請求項３記載の発明によれば、ブラケットに装着したワッシャケース内にワッシャを保持させた場合に、ワッシャケースとブラケットとの隙間からのワッシャの脱落をブラケットに設けたリブで確実に防止することができる。これにより、ワッシャなしでブラケットを車両等に不完全にボルト締めする不具合を未然に防止することができる。
また、例えばワッシャを傾斜させてブラケットとワッシャケースで保持した際に、ワッシャの下部中央よりも高い位置の両側部分をリブの高背な両側部分で確実に受け止めて、ワッシャの脱落を確実に防止することができる。また、ブラケットの垂直壁と同一平面にリブの外面を配置したことで、例えば電気接続箱本体にブラケットを設けた場合にアッパケースをリブとの干渉なくスムーズに電気接続箱本体に装着することができる。
【００２２】
請求項４記載の発明によれば、ブラケットに装着したワッシャケース内にワッシャを保持させた場合に、ワッシャケースとブラケットとの隙間からのワッシャの脱落をブラケットに設けたリブで確実に防止することができる。これにより、ワッシャなしでブラケットを車両等に不完全にボルト締めする不具合を未然に防止することができる。
また、ガイドレールの係止突起をスライド係合部に挿入する際にスライド係合部の薄肉部の撓み変形で、ワッシャケースを小さな力でスムーズに且つワッシャケースの隙間を生じるような有害な変形を防ぎつつブラケットにスライド式に嵌合ロックさせることができる。
【図面の簡単な説明】
【００２３】
【図１】本発明に係るワッシャ保持用ブラケット構造の一実施形態を含む電気接続箱の一形態を示す要部分解斜視図である。
【図２】同じくワッシャ保持用ブラケット構造を含む電気接続箱を示す要部側面図である。
【図３】ワッシャ保持用ブラケット構造を含む電気接続箱の要部背面図である。
【図４】ワッシャケース装着前のワッシャ保持用ブラケット構造を示す斜視図（枠内は要部拡大図）である。
【図５】ワッシャ脱落防止用リブのないワッシャ保持用ブラケット構造を参考的に示す要部斜視図である。
【図６】ワッシャケースの一形態を上下反転して示す要部斜視図である。
【図７】ワッシャケース装着後のワッシャ保持用ブラケット構造を示す斜視図（枠内は要部拡大図）である。
【図８】同じくワッシャケース装着後のワッシャ保持用ブラケット構造を角度を変えて示す斜視図である。
【発明を実施するための形態】
【００２４】
図１〜図８は、本発明に係るワッシャ保持用ブラケット構造の一実施形態を示すものである。
【００２５】
図１の如く、このワッシャ保持用ブラケット構造は、例えばリレーブロックといった電気接続箱１におけるものであり、本例の電気接続箱１は、合成樹脂製のフレーム（接続箱本体）２と、フレーム２内に下方から挿着される絶縁樹脂製の不図示の接続ブロックと、フレーム２の下側に装着されて下部開口を塞ぐ合成樹脂製のロアカバー３（図２）と、フレーム２の上側に装着されて上部開口２ａを塞ぐ合成樹脂製のアッパカバー４とを備えている。
【００２６】
不図示の接続ブロックは、リレー装着部やヒューズ装着部やヒュージブルリンク装着部やコネクタ等を有している。ロアカバー３（図２）はこれらリレーやヒューズ等の電気部品やコネクタ内の端子に接続された電線を保護しつつ外部に導出させる。
【００２７】
フレーム２は、上下に貫通した内部空間（ブロック収容空間）２ｂをなす垂直な周壁５を備え、周壁５の後側の壁部６の外面に垂直方向（上向き）のブラケット７が設けられ、ブラケット７の上端側の後上がりの傾斜壁８（図４）にワッシャケース９が傾斜して装着され、ワッシャケース９の内側に金属製の平型円形のワッシャ１０が径方向一定範囲移動自在に配置（保持）されている。
【００２８】
ワッシャケース９は、後上がりに傾斜した上側の略矩形状の壁部１１と、上側及び左右両側の各壁部（周壁）１２（図２），１３と、ブラケット７を挿通（挿入）させる前部開口５２とを有し、上側の壁部１１に、ワッシャ１０の外径よりも小径な円形の孔部１４が設けられている。上側の壁部１１の内面に沿ってワッシャ１０の上面が位置する。ワッシャ１０は中心に小さなボルト挿通用の孔部１５を有している。ワッシャケース９はその係合孔１６にブラケット７の係止突起１７（図４）を嵌合させてブラケット７に係止（固定）されている。なお、明細書で前後左右の方向性は説明の便宜上のものであり、必ずしも電気接続箱１の取付方向と一致するとは限らない。
【００２９】
フレーム２の左側の垂直な壁部１８には他のブラケット１９が設けられ、他のブラケット１９は下側の水平板部１９ａにボルト挿通用の孔部２０を有して、車両ボディ等にねじ締め固定される。フレーム２の後壁６側の垂直なブラケット７はフレーム２の上部開口２ａよりも高く突出し、フレーム２に装着されたアッパカバー４と同程度の高さないしそれよりも高くワッシャケース９やワッシャ１０が位置する。
【００３０】
図２の如く、ブラケットの垂直な上半部（垂直壁）２１はフレーム２の後壁６の上端部から後方に大きな隙間２２を存して離間して位置し、フレーム２へのアッパカバー４（図１）のスムーズな装着を可能としている。符号２３はアッパカバー４に対する係止部である。本例のブラケット７はフレーム２とは別体に樹脂成形され、ブラケット７の下半部２４はフレーム２の垂直なレール状のスライドロック部２５にスライド式に嵌合ロックされている。ブラケット７は傾斜状の後壁面２６と上半の垂直な前壁面２１ａとを有している。符号３はロアカバーの一部（上側突出部）を示し、ロアカバー３は係止部２７でフレーム２の係合部２８に係止（ロック）されている。
【００３１】
図３の如く、ブラケット７の傾斜状の後壁面２６（複数のリブ壁の後面で成る）は上端側の緩やかな角度で傾斜した傾斜壁８の後面に続き、傾斜壁８の左右と上側の外周にワッシャケース９の外周壁１２，１３が三方を囲んで位置する。傾斜壁８の幅方向中央にボルト挿通用の孔部２９が貫通して設けられ、孔部２９の上側にワッシャ１０が位置し、ボルト挿通用の孔部２９は上下（前後）方向の長孔でワッシャ１０の孔部１５よりも大径である。
【００３２】
図４の如く、ブラケット７は上側の傾斜壁８の上面にワッシャ収容用の円形の凹部３０を有し、凹部３０の内径はワッシャ１０の外径よりも大径であり、凹部３０内に配置されたワッシャ１０は、凹部３０の環状の内周面３０ａとワッシャ１０の外周面１０ａとの間の隙間の範囲で径方向に移動自在である。凹部３０の深さはワッシャ１０の板厚と同等ないしはそれよりも若干深く設定されている。凹部３０の内周面３０ａは傾斜状の底壁面３０ｂに直交して続き、底壁面３０ｂに上下（前後）方向の長形の孔部２９が設けられている。
【００３３】
ブラケット７の傾斜壁８と下側の垂直壁（支持壁）２１とは略くの字状に交差して一体に続き、傾斜壁８の上側の傾斜面８ａと垂直壁２１の垂直な前面２１ａとの交差部３１において、ワッシャ脱落防止用のリブ（突出壁）３２が上向きに立設されている。図４の拡大図においてリブ３２を鎖線円で囲って示す。
【００３４】
リブ３２は垂直壁２１の垂直な前面２１ａと同一面に続く垂直な前面３２ａを有して、垂直壁２１の前面２１ａ側にリブ３２が突出しないことで、フレーム２（図１）へのアッパカバー４の装着を阻害しないようになっている。リブ３２の裾部３２ｂは凹部３０の環状の内周面３０ａの下側部分３０ａ’に沿って位置し、裾部３２ｂの内側（後側）の傾斜面（内面）（符号３２ｂで代用）は凹部３０の内周面３０ａ’と同一面に続いている。
【００３５】
参考までに図５にリブ３２を設けない場合（リブ３２を設ける箇所をハッチング３３で示す）のブラケットの形状を示す如く、凹部３０の内周面３０ａの下端部分３３は垂直壁２１の前面２１ａとの間に僅かな薄い肉厚部分３３ａを介して近接し、薄い肉厚部分３３ａに図４のリブ３２の幅方向中央の薄肉部分（中央部分）３５が立設され、図５の内周面３０ａの下端部分３０ａ’から傾斜壁８の上面（傾斜面）（符号８で代用）に沿って左右両側に図４のリブ３２の幅方向（左右方向）両側の厚肉部分（両側部分）３６が立設され、リブ３２の中央の薄肉部分３５は低く配置され、リブ３２の左右両側の厚肉部分３６は高く配置されて、リブ３２の上端（峰部）３２ｃは円弧状に形成され、リブ３２の内面（後面）３２ｂは後下がりの傾斜面となって凹部３０の内周面３０ａ’に続いている。
【００３６】
リブ３２の内面（後面）３２ｂにワッシャ１０の下端側の外周面１０ａ’が当接することで、ワッシャ１０の脱落が防止される。ワッシャ１０の脱落はブラケット７へのワッシャケース９の装着後に限らず、図４のワッシャケース９装着前にワッシャ１０を凹部３０にセットする際にも同様に防止される。リブ３２の上向きの最大突出高さ（リブ３２の左右両側３６の頂部３６ａが最大高さとなる）はワッシャ１０の板厚程度あればよい。リブ３２の左右の側端面３２ｄは凹部３０の略中心に向かう仮想延長線上の傾斜面となっている。リブ３２を平面視で扇状と見ることもできる。
【００３７】
図４の如く、ブラケット７の傾斜壁８の左右の側壁３７の外面に断面Ｔ字状の各ガイドレール３８が設けられ、各ガイドレール３８は、側壁３７の外面の厚み方向中央から外向きに短く突出した直線状の支持壁部３８ａ（図７）と、支持壁部３８ａの上下に直交して突出した垂直板状のガイド壁部３８ｂと、ガイド壁部３８ｂの幅方向中央において下半側の外面に設けられた係止突起１７とで成る。
【００３８】
各ガイドレール３８は傾斜壁８と同じ傾斜角度で後上がりに配置され、ガイドレール３８の前端（下端）はブラケット７の垂直壁２１の上端に位置し、ガイドレール３８の後端（上端）は凹部３０の上端よりも下側で自由状態（図４）のワッシャ１０のほぼ上端の高さに位置している。係止突起１７は上側のガイド傾斜面１７ａ（図７）と下側の直角に交差する係止面１７ｂとを有している。ガイド壁部３８ｂの幅と傾斜壁８の厚みとは同程度である。ガイド壁部３８ｂの内面と傾斜壁２１の外側面との間に上下一対のガイド溝３８ｃが構成されている。
【００３９】
図６（ワッシャケース９を上下反転して示す図）の如く、ワッシャケース９の左右の側端部に、ブラケット７のガイドレール３８に対するスライド係合部４０が一体に設けられている。各スライド係合部４０は、ワッシャケース９の上壁１１に同一外面で短く続く上側延長壁４１と、上側延長壁４１に直交して続く側壁４２と、側壁４２に直交して続く下側延長壁４３と、下側延長壁４３に直交してリブ状に突出形成された下側の鍔状壁４４と、下側の鍔状壁４４に対向して（対称に）上壁１１と上側延長壁４１との境界に突出形成された上側の鍔状壁４５と、側壁４２の開口端４２ａ寄りに設けられた矩形状の係合孔１６とで構成されている。
【００４０】
上下一対の鍔状壁４４，４５の間に図７のガイドレール３８の支持壁部３８ａをスライド係合させる隙間４６が形成され、上下の鍔状壁４４，４５と上下の延長壁４１，４３と側壁４２とで囲まれて、図７のガイドレール３８のガイド壁部３８ｂをスライド係合させる溝状の空間（符号４１で代用）が形成されている。
【００４１】
図６の如く、ワッシャケース９の左右の側壁４２に前部開口（開口）４２ａから係合孔１６にかけて垂直な平面４７ａからテーパ（傾斜）面４７ｂに変化した可撓性の薄肉部４７が形成され、且つ側壁４２の上下の延長壁部４１，４３との交差部分４８に前部開口４２ａから係合孔１６を後方に通過した位置（係合孔１６の後方近傍）にかけて細幅溝状の可撓性の薄肉部４９が直線的に形成されて、側壁４２が部分的に薄肉化されている。
【００４２】
正確には、前部開口４２ａにはテーパ面取（符号４２ａで代用）が施されているので、テーパ面取４２ａから係合孔１６の手前にかけて可撓性の薄肉部４７が形成され、薄肉部４７の前半は側壁４１の外面と平行な平面４７ａで薄肉部４７の後半は後上がりの傾斜面４７ｂとなっている。この薄肉部４７の上下において細幅溝状の水平な薄肉部４９が薄肉部４７の前半４７ａよりも深く形成されている。
【００４３】
図６の薄肉部４７，４９を鎖線円で囲って示している。係合孔１６の手前と上下とに薄肉部４７，４９が略コの字状に係合孔１６を囲むように形成され、手前の薄肉部４７は係合孔１６の直近（近傍）で終端し、上下の薄肉部４９は係合孔１６の近傍で上下に離間して係合孔１６の上下端と平行に位置し、係止突起１７に対する係合孔１６の係合代（内面の面積）が確保されている。両薄肉部は前部開口４２ａから係合孔１６の近傍にかけて形成されている。
【００４４】
この可撓性の薄肉部４７，４９によって、図７のブラケット７の係止突起１７がスライド係合部４０内に進入した際に側壁４２が容易に（小さな力で）外側に撓んで、係止突起１７の挿入が小さな力でスムーズに行われる。
【００４５】
また、図７の係止突起１７が係合孔１６の手前の薄肉部４７を通過した後に（係合孔１６に係合した際に）、側壁４２が弾性的に外向きに復元するから、薄肉部４７，４９を設けないワッシャケースに較べて側壁４２の外側（図７の矢印Ａ方向）の有害な塑性変形が防止されて、係止突起１７と係合孔１６との係止代が確保され、係止力が良好に発揮されると共に、側壁４２の外向きの塑性変形に伴う（例えば外向きに変形した側壁４２が内向きに押された際の）上壁１１の上方への湾曲状の反り変形による上壁１１とブラケット７の傾斜壁８との間の隙間（符号５２の開口部分で生じる）の発生が防止されて、隙間（５２）へのワッシャ１０の噛み込み等が防止される（隙間（５２）があってもワッシャ１０の脱落は前記リブ３２によって阻止される）。
【００４６】
図７においてはワッシャ１０の図示を省略しており、ブラケット７のボルト挿通用の孔部２９が直接見えている。ワッシャ１０は車両等に電気接続箱１をボルト締めで固定するまでの間において脱落防止されればよい（メンテナンス時を含む）。
【００４７】
図８の如く、ワッシャ１０をワッシャケース９内に収容した状態で、ワッシャ１０は自重で径方向下向きに移動してワッシャ１０の下端が凹部３０の下側の内周面３０ａ’に当接する。ワッシャ１０の上端はワッシャケース９の上壁１１の円形の孔部１４の上端に位置し、ワッシャ１０の上端を除く外周縁（上面）は孔部１４の周囲において上壁１１の内面に接する。上壁１１には補強用の水平な突条５０が部分的に設けられている。
【００４８】
上壁１１の下端部（前部開口端）にはワッシャ脱落防止用のリブ３２の左右の山部３６を逃がす（山部３６に係合する）三角溝状の切欠部５１が設けられている。山部３６と切欠部５１との係合でワッシャケース９が位置決めされると共に、係合摩擦でワッシャケース９とブラケット７との間の隙間（符号５２の開口部分に生じる）の発生が抑止される。
【００４９】
図８の状態でたとえ上壁１１の前部開口端５２が熱変形や経時変化（メンテナンス時にボルトを抜いた状態で）等の影響で上向きに開いたとしても、ワッシャ１０の円弧状の下端（外周面ないしエッジ）がリブ３２の円弧状の後面３２ｂ（図４）に当接し、リブ３２の円弧状の後面３２ｂがワッシャ１０の円弧状の下端を確実に受けて、ワッシャ１０の脱落が確実に防止される。
【００５０】
なお、上記実施形態においては、電気接続箱１のブラケット７の中間部（垂直壁）２１を垂直に配置してブラケット７の凹部３０を有する上端部（傾斜壁）８を中間部２１からくの字状に屈曲させて傾斜状に配置したが、ブラケット７の形状はこれに限られるものではなく、例えばブラケット（７）の上端部（８）が中間部から直角に屈曲されて水平に配置される場合や、ブラケット（７）の上端部（８）が中間部（２１）の延長上に垂直に配置される場合や、図８を上下反転させ且つブラケット（７）の先端部（８）を略レの字状に斜め上向きに屈曲させて凹部（３０）を有する傾斜壁（８）を斜め上向きに配置する（ワッシャ１０の円形外面（符号１０で代用）を下向きに配置する）場合等においても、上記構成のワッシャ脱落防止用のリブ３２や、ワッシャケーススライド係合用のガイドレール３８やスライド係合部４０の構成を適用可能である。ブラケット（７）の上端部（８）が垂直に配置される場合、リブ３２はアッパカバー４（図１）と干渉しない範囲でブラケット（７）の垂直な前面から水平方向ないし斜め上向きに突設される。
【００５１】
また、上記実施形態においては、ワッシャ脱落防止用のリブ３２とワッシャケーススライド係合用のガイドレール３８やスライド係合部４０とを同時に有するものとして説明したが、例えばワッシャ脱落防止用のリブ３２のみでガイドレール３８やスライド係合部４０のない構成や、ガイドレール３８やスライド係合部３０のみでワッシャ脱落防止用のリブ３２のない構成も有効である。
【００５２】
また、ワッシャ１０は必ずしも金属製に限らずボルトの締付トルク等に応じて合成樹脂製等とすることも可能である。また、締付用の不図示のボルトは例えば車両ボディ等に固定されたスタッドボルトでもよく（この場合、ボルトはワッシャ１０の下面側から孔部１５に挿入される）、あるいは車両ボディ等にウェルドナット等の固定ナットを設けて、ボルトをワッシャ１０の上面側から孔部１５に挿入することも可能である。
【００５３】
また、上記実施形態においては、ワッシャケース９をブラケット７にスライド式に嵌合ロックさせたが、例えばスライド式ではなく、ワッシャケース（９）を上下分割式ないし左右分割式として上下ないし左右のワッシャ分割ケースをブラケット７に装着しつつ合体ロックさせる（両分割ワッシャケースを相互に合体係止させると共にブラケット７の係止部１７とロックさせる）ことも可能である。この場合でもブラケット７のワッシャ脱落防止用のリブ３２は有効に作用する。
【００５４】
また、上記実施形態においては、ブラケット７にワッシャ脱落防止用のリブ３２を設けたが、上下ないし左右分割式のブラケットの場合は、ブラケット７の傾斜状の上壁８の前部開口端５２にワッシャ脱落防止用のリブ３２を下向きに突設することも可能である。この場合は図８を上下反転させ且つブラケット７の先端部８を略レの字状に斜め上向きに屈曲させてワッシャ１０の円形外面（符号１０で代用）を下向きに配置した場合に有効である。
【００５５】
また、上記実施形態においては、ブラケット７に断面Ｔ字状のガイドレール３８を設け、ワッシャケース９に溝状のスライド係合部４０を設けたが、ワッシャケース９の側壁４２の内面に断面Ｔ字状のガイドレール（３８）を設け、ブラケット７に溝状のスライド係合部（４０）を設けることも可能である。但しこの場合は、ワッシャケース９の先端壁１２にガイドレール成型用の型抜き孔を設ける必要があり、係止突起１７はガイドレール３８に設け、係止穴（貫通しない穴）１６はスライド係合部４０に設けるようにし、図６の薄肉部（可撓部）４７，４９は設けることはできない。
【００５６】
また、上記実施形態においては、ガイドレール３８を左右一対配置したが、ガイドレール３８を右又は左の一本のみとすることも可能である（スライド係合部４０も右又は左の一箇所となる）。また、上記実施形態においては断面Ｔ字状のガイドレール３８を設けたが、断面Ｔ字状に代えて断面Ｌ字状のガイドレールを設けることも可能である。この場合、図７で左側のガイドレール３８が断面Ｌ字状、右側のガイドレール３８が対称の断面逆Ｌ状となり、各ガイドレール３８の外面に係止突起１７が設けられ、スライド係合部４０内の空間（溝）もガイドレール３８に合わせて断面Ｌ字状ないし逆Ｌ字状となる。
【００５７】
また、上記実施形態においては、ブラケット７にワッシャ収容配置用の凹部３０を設けたが、ブラケット７に代えてワッシャケース９にワッシャ収容用の凹部（３０）を設けることも可能である。また、凹部３０を設けずに、ワッシャ脱落防止用のリブ３２のみでワッシャケース（９）からのワッシャ１０の脱落を防ぐことも可能である。
【００５８】
また、上記実施形態においては、電気接続箱１の中間のフレーム（接続箱本体）２にブラケット７を設けたが、フレーム２を用いない電気接続箱の場合はアンダカバーやメインカバー等（接続箱本体）にブラケット７を一体又は別体に設けることも可能である。ブラケット７を別体に形成するのは、凹部３０やガイドレール３８等の樹脂成型時の型抜きを容易化するためである。また、電気接続箱１に限らず、ワイヤハーネスを挿通して外部との干渉等から保護させる矩形筒状の不図示のハーネスプロテクタや、端子接続用のコネクタや、複数のコネクタを集合させた不図示のコネクタブロック等においても上記ブラケット構造を適用可能である。
【産業上の利用可能性】
【００５９】
本発明に係るワッシャ保持用ブラケット構造は、例えば車両ボディや車両パネル等に電気接続箱等のブラケットをねじ締め固定させる際に、ブラケットに装着したワッシャケース内にワッシャを保持させ、ワッシャケースとブラケットとの隙間からのワッシャの脱落を防止し、それに加えて、ワッシャケースを小さな力でスムーズに且つワッシャケースの前記隙間を生じるような有害な変形を防ぎつつブラケットにスライド式に嵌合ロックさせるために利用することができる。
【符号の説明】
【００６０】
７          ブラケット
８          傾斜壁
９          ワッシャケース
１０        ワッシャ
１６        係合孔
１７        係止突起
２１        垂直壁
２９        孔部
３０        凹部
３０ａ      内周面
３１        交差部
３２        リブ
３２ａ      外面
３２ｂ      内面
３５        中央部分
３６        両側部分（山部）
３８        ガイドレール
４０        スライド係合部
４７，４９  薄肉部
５２        開口
【図１】
0005798777.tif 000002
【図２】
0005798777.tif 000003
【図３】
0005798777.tif 000004
【図４】
0005798777.tif 000005
【図５】
0005798777.tif 000006
【図６】
0005798777.tif 000007
【図７】
0005798777.tif 000008
【図８】
0005798777.tif 000009